(57)【要約】【課題】            着脱性の良好な二重筒状のキャップを備えた筆記具を提供することにあり、更には生産性の良好な二重筒状のキャップを備えた筆記具を提供する。【解決手段】        軸筒１０の前端側に、外キャップ２１と内キャップ２２とからなる二重筒状のキャップ２０を、着脱可能に装着してなる筆記具において、前記軸筒１０の前端側外周面には、前記キャップ２０を着脱するためのキャップ着脱用外向き突起１２ｂが設けられ、前記内キャップ２２の内周面には、前記キャップ着脱用外向き突起１２ｂに対し乗り越え嵌合可能なキャップ着脱用内向き突起２２ｂ１が設けられ、同内キャップ２２の周壁には、前記キャップ着脱用内向き突起２２ｂ１のキャップ軸方向の位置に対応して配置されるとともに、後方へ開口した切欠部２２ｂ２が設けられている。【選択図】          図１
2008068524.tif 000002
【特許請求の範囲】
【請求項１】
軸筒の前端側に、外キャップと内キャップとからなる二重筒状のキャップを、着脱可能に装着してなる筆記具において、
前記軸筒の前端側外周面には、前記キャップを着脱するためのキャップ着脱用外向き突起が設けられ、
前記内キャップの内周面には、前記キャップ着脱用外向き突起に対し乗り越え嵌合可能なキャップ着脱用内向き突起が設けられ、
同内キャップの周壁には、前記キャップ着脱用内向き突起のキャップ軸方向の位置に対応して配置されるとともに、後方へ開口した切欠部が設けられていることを特徴とする筆記具。
【請求項２】
上記外キャップの前端側内周面には、上記内キャップを組付けるための組付け用内向き突起が設けられ、
上記内キャップの前端側外周面には、前記組付け用内向き突起に対し乗り越え嵌合する組付け用外向き突起が設けられ、
同内キャップの周壁には、前記組付け用内向き突起のキャップ軸方向の位置に対応して配置されるとともに、前方へ開口した切欠部が設けられていることを特徴とする請求項１記載の筆記具。
【請求項３】
上記外キャップの後端側内周面には、上記内キャップが外キャップから抜けるのを阻むための内キャップ抜止め用内向き突起が設けられ、
上記内キャップの後端側外周面には、該内キャップが上記軸筒との嵌り合いにより拡径した際に前記内キャップ抜止め用内向き突起に対し前方から当接可能となるように、内キャップ抜止め用外向き突起が設けられていることを特徴とする請求項１又は２記載の筆記具。
【発明の詳細な説明】
【技術分野】
【０００１】
本発明は、ボールペンや、シャープペンシル、サインペン等、軸筒先端側に二重筒状のキャップを装着するようにした筆記具に関するものである。
【背景技術】
【０００２】
従来の筆記具には、外キャップと内キャップとからなる二重筒状のキャップを装着したものがある。
このようにキャップを二重筒状に形成する理由は、軸筒に嵌合保持する機能を主に外キャップに持たせるとともに、密閉性を保持する機能を主に内キャップに持たせたり、何れか一方のキャップに、前記嵌合保持機能または前記密閉保持機能を併せ持たせたり等、筆記具の種類や使用態様等に応じて様々である。
【０００３】
ところで、二重筒状のキャップを構成する場合、外キャップと内キャップとを一体成形することも可能であるが、このようにした場合には、成形上のヒケ等によって寸法精度が低下し、気密不良や嵌合不良等を招き易い。
そこで、二重筒状のキャップを構成する場合には、例えば特許文献１に記載された筆記具のように、外キャップ（１３）と内キャップ（５）とを夫々別々に成形し組み付ける構造とするのが好ましい。
【０００４】
しかしながら、特許文献１に記載されている従来技術によれば、筆記具本体（１５）の外周面に対し、外キャップ（１３）内周面の密閉用突起（嵌着用突起）１１を全周にわたって嵌め合わせる構造としているため、その嵌合力が比較的大きく、筆記具本体（１５）に対するキャップ（１）の着脱性を損ね易い。
また、同従来技術によれば、二重筒状のキャップ（１）の製造段階において、外キャップ（１３）の係止用突起（９）に対し内キャップ（５）外周面の凸部（７）を乗り越え嵌合させなければならない。したがって、その乗り越え嵌合の作業を容易にし、且つ組み付け後に内キャップ（５）が容易に脱落しないようにするためには、前記係止用突起（９）および凸部（７）の寸法を高精度に維持する必要があり、その結果、生産性の低下を招き易い。
【特許文献１】特開平１１−３２１１８１号公報
【発明の開示】
【発明が解決しようとする課題】
【０００５】
本発明は上記従来事情に鑑みてなされたものであり、その課題とする処は、着脱性の良好な二重筒状のキャップを備えた筆記具を提供することにあり、更には生産性の良好な二重筒状のキャップを備えた筆記具を提供することにある。
【課題を解決するための手段】
【０００６】
上記課題を解決するために第一の発明では、軸筒の前端側に、外キャップと内キャップとからなる二重筒状のキャップを、着脱可能に装着してなる筆記具において、前記軸筒の前端側外周面には、前記キャップを着脱するためのキャップ着脱用外向き突起が設けられ、前記内キャップの内周面には、前記キャップ着脱用外向き突起に対し乗り越え嵌合可能なキャップ着脱用内向き突起が設けられ、同内キャップの周壁には、前記キャップ着脱用内向き突起のキャップ軸方向の位置に対応して配置されるとともに、後方へ開口した切欠部が設けられていることを特徴とする。
【０００７】
また、第二の発明では、上記外キャップの前端側内周面には、上記内キャップを組付けるための組付け用内向き突起が設けられ、上記内キャップの前端側外周面には、前記組付け用内向き突起に対し乗り越え嵌合する組付け用外向き突起が設けられ、同内キャップの周壁には、前記組付け用内向き突起のキャップ軸方向の位置に対応して配置されるとともに、前方へ開口した切欠部が設けられていることを特徴とする。
【０００８】
また、第三の発明では、上記外キャップの後端側内周面には、上記内キャップが外キャップから抜けるのを阻むための内キャップ抜止め用内向き突起が設けられ、上記内キャップの後端側外周面には、該内キャップが上記軸筒との嵌り合いにより拡径した際に前記内キャップ抜止め用内向き突起に対し前方から当接可能となるように、内キャップ抜止め用外向き突起が設けられていることを特徴とする。
【発明の効果】
【０００９】
本発明は、以上説明したように構成されているので、以下に記載されるような作用効果を奏する。
第一の発明によれば、軸筒に対し二重筒状のキャップを装着するために、内キャップのキャップ着脱用内向き突起を、軸筒のキャップ着脱用外向き突起に対し乗り越えさせる際、内キャップが切欠部によって柔軟に拡径する。
同様に、軸筒から二重筒状のキャップを外すために、内キャップのキャップ着脱用内向き突起を、軸筒のキャップ着脱用外向き突起に対し、逆方向へ乗り越えさせる際にも、内キャップが後方へ開口した切欠部によって柔軟に拡径する。
よって、軸筒に対するキャップの着脱を良好に行うことができる。
【００１０】
更に、第二の発明によれば、外キャップに対し内キャップを組付けるために、外キャップの組付け用内向き突起に対し、内キャップの組付け用外向き突起を乗り越えさせる際に、内キャップが切欠部によって柔軟に縮径する。
よって、外キャップに内キャップを組み付ける際の作業を良好に行うことができ、ひいては二重筒状のキャップの生産性を向上することができる。
【００１１】
更に、第三の発明によれば、内キャップの抜止め用外向き突起が、軸筒との嵌り合いにより拡径して、外キャップの抜止め用内向き突起に対し前方から当接可能な位置となる。
したがって、軸筒から二重筒状のキャップを外す際の引張力により、内キャップが外キャップから外れてしまうようなことを防ぐことができる。
【発明を実施するための最良の形態】
【００１２】
以下、本発明の実施の形態を図面に基づいて説明する。
筆記具Ａは、前端からボールペンリフィール３０の筆記部３１を突出させた軸筒１０と、該軸筒１０の前端側に着脱可能に装着される二重筒状のキャップ２０とを具備している（図１（ａ）（ｂ）参照）。
なお、本明細書中において、前とは、開閉体１０の軸方向における筆記部３１側（換言すればキャップ２０先端側）を意味するものとする。また後とは、同軸方向における筆記部３１とは逆側を意味するものとする。
【００１３】
軸筒１０は、長尺筒状の本体部１１の前端側に、先口部１２を螺合接続している。なお、この軸筒１０の他例としては、本体部１１と先口部１２を一体成形した構成であってもよい。
【００１４】
本体部１１は、当該筆記具Ａの略全長へわたる筒状を呈し、その内部にボールペンリフィール３０を内在するとともに、外周面には弾性材料からなるグリップ部１３を環状に装着している。
【００１５】
また、先口部１２は、その前端側に略円錐状の傾斜面１２ａを有し、該傾斜面よりも若干後側に、キャップ２０を着脱するためのキャップ着脱用外向き突起１２ｂを有する。
更に、この先口部１２は、キャップ着脱用外向き突起１２ｂよりも若干後端側に、後述する内キャップ２２の後端部を当接させる環状凸部１２ｃを有し、該環状凸部１２ｃよりも後部側には環状溝部１２ｄ（図１（ｂ）参照）を有する。
そして、この先口部１２は、その内部に挿通されるボールペンリフィール３０の筆記部３１を、前端から突出させている。
【００１６】
キャップ着脱用外向き突起１２ｂは、先口部１２の先端側外周面を形成する傾斜面１２ａと、該傾斜面１２ａに後端に接続された円筒状の平坦面１２ｂ１と、該平坦面１２ｂ１の後端から後方へ向かって縮径状の傾斜面１２ｂ２とからなり、先口部１２の全周へわたって環状に連続している（図１（ａ）参照）。
【００１７】
前記平坦面１２ｂ１は、後述するキャップ２０の内キャップ２２に圧接される面である。
また、傾斜面１２ｂ２の傾斜角度は、装着されたキャップ２０がスムーズに外せるように適宜に設定されている。
【００１８】
なお、上記平坦面１２ｂ１を省き、キャップ着脱用外向き突起１２ｂを傾斜面１２ａと傾斜面１２ｂ２のみからなる鋭角状に形成することも可能であるが、この構成とした場合には、傾斜面１２ａと傾斜面１２ｂ２とからなる鋭角部分が内キャップ２２との摩擦により磨耗し、キャップ嵌合力が低下してしまうおそれがある。
そこで、本実施の形態の好ましい態様によれば、傾斜面１２ａと傾斜面１２ｂ２との間に上記平坦面１２ｂ１を設けることで、前記のような磨耗を軽減し、キャップ嵌合力が長期にわたり適宜に維持されるようにしている。
【００１９】
また、環状凸部１２ｃは、後述する内キャップ抜止め用外向き突起２２ｂ３によって軸方向に当接されるとともに、同突起２２ｂ３によって外周が覆われるように形成されている。
【００２０】
また、環状溝部１２ｄは、環状凸部１２ｃよりも後部側を縮径することで、環状凸部１２ｃと軸筒１０側のグリップ部１３との間に形成される。この環状溝部１２ｄには、弾性環状部材１４が嵌め合わせられている。
【００２１】
弾性環状部材１４は、グリップ部１３よりも硬質なゴムや弾性合成樹脂材料から形成され、特に軸筒先端側の先口部１２近傍を把持する使用者に対し、その把持感触を良好にするとともに、把持する手が筆圧により前方へずれてしまうのを防ぐように作用する。
【００２２】
また、キャップ２０は、外キャップ２１と、この外キャップ２１内に装着される内キャップ２２とからなる（図２（ａ）（ｂ）参照）。
【００２３】
外キャップ２１は、前端側を閉鎖するとともに後端側を開口した略有底筒状を呈し、その内部前端側には、内キャップ２２を装着するための小筒部２１ａを有し、また、内部後端側には、内キャップ抜止め用内向き突起２１ｂを有する。
【００２４】
小筒部２１ａは、その内周面に、内キャップ２２を組み付けるための組付け用内向き突起２１ａ１を有する（図２（ａ）参照）。
この組付け用内向き突起２１ａ１は、その断面形状が略山状を呈し、小筒部２１ａ内周面の全周へわたって環状に設けられている。
【００２５】
また、内キャップ抜止め用内向き突起２１ｂは、外キャップ２１の後端側内周面に周方向へわたって所定間隔置きに複数配設されている。
この内キャップ抜止め用内向き突起２１ｂは、外キャップ２１の内周面から求心方向へ突出する断面略山状の突起であり、拡径した際の内キャップ２２の後端に当接することで、内キャップ２２が外キャップ２１から抜けるのを阻む。
【００２６】
そして、周方向に隣り合う内キャップ抜止め用内向き突起２１ｂ，２１ｂの間には、ガイド突起２１ｃが配設される。
ガイド突起２１ｃは、その頂部を外キャップ２１軸心と略平行に形成している。
このガイド突起２１ｃは、図２（ａ）に示すように、外キャップ２１に対し内キャップ２２が組み付けられる際に、内キャップ２２後端側の大筒部２２ｂに対し近接または摺接することで、内キャップ２２の軸方向前方への移動をガイドするとともに、内キャップ２２を外キャップ２１に対し芯合わせする。
更に、このガイド突起２１ｃは、図１（ａ）に示すように、軸筒１０前端側にキャップ２０が装着される際には、軸筒１０側の弾性環状部材１４外周面に対し近接または摺接することで、キャップ２０の軸方向後方への移動をガイドするとともに、キャップ２０を軸筒１０に対し芯合わせする。
【００２７】
また、内キャップ２２は、頂部が筆記部３１を遊挿するように貫通された略円錐状を呈する。
この内キャップ２２の前端側には、外キャップ２１の小筒部２１ａと嵌り合う略円筒状の小筒部２２ａが形成されている。この小筒部２２ａの外周面には、組付け用外向き突起２２ａ１と、切欠部２２ａ２とが設けられている（図２（ａ）参照）。
【００２８】
組付け用外向き突起２２ａ１は、外キャップ２１側の組付け用内向き突起２１ａ１に対し乗り越え嵌合するための突起であり、小筒部２２ａの周方向へわたって形成されている。
【００２９】
また、切欠部２２ａ２は、前記組付け用外向き突起２２ａ１に対し交差するようにして、組付け用外向き突起２２ａ１のキャップ軸方向の位置に対応して配置され、小筒部２２ａの周壁を径方向へ貫通するとともに前方へ開口するように形成されている。
図示した好ましい一例について、より詳細に説明すれば、切欠部２２ａ２は、そのキャップ軸方向の寸法が、組付け用外向き突起２２ａ１のキャップ軸方向の寸法よりも若干長く設定されている。
このような切欠部２２ａ２の配置および形状によれば、内キャップ２２の小筒部２２ａが弾性的に縮径し易くなり、ひいては、後に詳述するように外キャップ２１と内キャップ２２との組み付け作業性を向上することができる。
なお、この切欠部２２ａ２は、図示した好ましい一例によれば、小筒部２２ａの周方向において対向するように二つ設けられているが、単数または三以上とすることも可能である。
【００３０】
また、内キャップ２２の後端側には、略円筒状の大筒部２２ｂが設けられている。そして、この大筒部２２ｂには、キャップ着脱用内向き突起２２ｂ１と、切欠部２２ｂ２と、内キャップ抜止め用外向き突起２２ｂ３とが具備されている。
【００３１】
キャップ着脱用内向き突起２２ｂ１は、求心方向へ突出する断面略山状の突起であり、大筒部２２ｂの内周面に周方向へわたって所定間隔置きに複数設けられている。
このキャップ着脱用内向き突起２２ｂ１は、キャップ２０を軸筒１０前端側に装着する際に、先口部１２外周面のキャップ着脱用外向き突起１２ｂに対し乗り越え嵌合する。
【００３２】
また、切欠部２２ｂ２は、前記キャップ着脱用内向き突起２２ｂ１のキャップ軸方向の位置に対応して配置され、大筒部２２ｂの周壁を径方向へ貫通するとともに後方へ開口するように形成されている。
図示した好ましい一例について、より詳細に説明すれば、切欠部２２ｂ２は、そのキャップ軸方向の寸法が、内キャップ抜止め用外向き突起２２ｂ３のキャップ軸方向の寸法よりも若干長く設定されている。
このような切欠部２２ｂ２の配置および形状によれば、内キャップ２２の大筒部２２ｂが弾性的に拡径し易くなり、ひいては、後に詳述するように、軸筒１０前端側に対するキャップ２０の着脱を容易にすることができる。
なお、この切欠部２２ｂ２は、図示した好ましい一例によれば、大筒部２２ｂの周方向において対向するように二つ設けられているが、単数または三以上とすることも可能である。
【００３３】
また、内キャップ抜止め用外向き突起２２ｂ３は、内キャップ２２の後端部外周面から遠心方向へ突出するとともに周方向へわたるように形成される。
この内キャップ抜止め用外向き突起２２ｂ３は、より詳細に説明すれば、先口部１２に嵌められた際に先口部１２の環状凸部１２ｃを周方向へ覆うとともに、同環状凸部１２ｃに対し当接するように、断面略Ｌ字状に形成される。
そして、この内キャップ抜止め用外向き突起２２ｂ３は、内キャップ２２が先口部１２に嵌め合わせられることで拡径した際に、後方向きの突端部の外周側を、外キャップ２１の内キャップ抜止め用内向き突起２１ｂに対し前方から当接させるようにしている。
【００３４】
次に、上記構成の筆記具Ａについて、その作用効果を詳細に述べる。
先ず、当該筆記具Ａの製造段階において、外キャップ２１に対し内キャップ２２が組み付けられる際には、内キャップ２２前端側の小筒部２２ａが、外キャップ２１内前端側の小筒部２１ａに挿入され押圧されると、内キャップ２２側の組付け用外向き突起２２ａ１が外キャップ２１側の組付け用内向き突起２１ａ１を乗り越えるようにして、これら外キャップ２１と内キャップ２２が嵌合する（図２（ａ）（ｂ）参照）。
この嵌合の際、内キャップ２２側の小筒部２２ａは、周壁の切欠部２２ａ２により、容易に弾性変形し縮径する。よって、その組付け作業はスムーズに行われる。
【００３５】
また、通常の使用状態において、キャップ２０を軸筒１０前端側に装着する際には、内キャップ２２内に先口部１２を挿入し押圧すれば、内キャップ２２内のキャップ着脱用内向き突起２２ｂ１が、先口部１２外周のキャップ着脱用外向き突起１２ｂを乗り越えるようにして、内キャップ２２と先口部１２とが嵌り合う（図１（ａ）（ｂ）参照）。
前記乗り越えの際、内キャップ２２は、その後端側の切欠部２２ｂ２によって弾性的に拡径するため、キャップ２０の装着を容易に行うことができる。
【００３６】
また、軸筒１０前端側からキャップ２０を外す際には、内キャップ２２内のキャップ着脱用内向き突起２２ｂ１が先口部１２外周のキャップ着脱用外向き突起１２ｂを乗り越える際に、内キャップ２２の後端側が弾性的に拡径されて、内キャップ２２後端の内キャップ抜止め用外向き突起２２ｂ３が、外キャップ２１内周面の内キャップ抜止め用内向き突起２１ｂに対し当接可能な状態となる。
したがって、軸筒１０からキャップ２０を外す際の引張力により、外キャップ２１から内キャップ２２が外されてしまうようなことを、前記内キャップ抜止め用外向き突起２２ｂ３と前記内キャップ抜止め用内向き突起２１ｂとの当接により防ぐことができる。
なお、内キャップ抜止め用外向き突起２２ｂ３は、前述したように軸筒１０との嵌り合いにより内キャップ２２が弾性的に拡径した際に、内キャップ抜止め用内向き突起２１ｂに対し当接可能な状態となるため、外キャップ２１に内キャップ２２を組付ける際には内キャップ抜止め用内向き突起２１ｂと干渉により邪魔になるようなことがない。
【図面の簡単な説明】
【００３７】
【図１】本発明に係わる筆記具の要部断面図であり、（ａ）は軸筒の先端側にキャップを装着する前の状態を示し、（ｂ）は軸筒の前端側にキャップを装着した状態を示す。
【図２】同筆記具のキャップを示す断面図であり、（ａ）は外キャップに対し内キャップを組み付ける前の状態を示し、（ｂ）は外キャップに対し内キャップを組み付けた後の状態を示す。
【符号の説明】
【００３８】
１０：軸筒
１２：先口部
１２ｂ：キャップ着脱用外向き突起
２０：キャップ
２１：外キャップ
２１ａ１：組付け用内向き突起
２１ｂ：内キャップ抜止め用内向き突起
２２：内キャップ
２２ａ１：組付け用外向き突起
２２ｂ１：キャップ着脱用内向き突起
２２ａ２，２２ｂ２：切欠部
２２ｂ３：内キャップ抜止め用外向き突起
【図１】
2008068524.tif 000003
【図２】
2008068524.tif 000004